(57)【要約】【課題】顔に浮き出た脂を吸着する従来の脂吸着利を使用すると、化粧水を付けるときに手の脂を顔に擦り込むことになる。【解決手段】穴を開けた天然植物繊維カポックシートと化粧水を含ませた不織布と台紙より構成した脂吸着化粧用パッドを作成し、脂を吸着すると同時に化粧水を供給する。【選択図】    図１
2004230111.tif 000002
【特許請求の範囲】
【請求項１】
穴を開けた天然植物繊維カポックシートと化粧水を含ませた不織布と台紙より形成されたことを特徴とする天然植物繊維カポックを利用した脂吸着化粧用パッド。
【請求項２】
合成樹脂の袋に封入した使い捨て化粧用品としたことを特徴とする請求項１に記載の天然植物繊維カポックを利用した脂吸着化粧用パッド。
【請求項３】
天然植物繊維カポックシートに一定間隔に穴を開けて苗床の土壌保護、水分補給、保温、霜害凍害防止をすることを特徴とする天然植物繊維カポックを利用した苗床シート。
【請求項４】
天然植物繊維カポックシートを粉末に加工し、食品に混入して体内の水分を吸収することなく体内の余分な脂肪を除去することを特徴とするカポック混入食品。
【発明の詳細な説明】
【０００１】
【発明の属する技術分野】
本発明は顔に浮き出た脂を吸着し、化粧水で保湿する化粧用品としてのパッドおよび農業用の苗床保護シートに関している。
【０００２】
【従来の技術】
顔の脂を取るために天然植物繊維や化学繊維製品の脂吸着シートが使用されている。顔の脂を拭き取った後で、化粧水やクリームを手に取って顔に塗り込む。手の平にも脂が付いているが、手の平の脂を脂吸着シートで拭っておくことはほとんどない。このため、顔に手の平の脂を化粧水やクリームと一緒に擦りつけることになる。
【０００３】
苗床シートに関しては、苗床を豪雨、霜害、凍害より防ぐためにビニールシートに穴を開けて穴から苗を出す方法が農業で使用されている。
【０００４】
食品に植物繊維を混入して便通の補助とする食品は従来より提供されている。しかし、植物繊維を供給すると共に、体内の余剰脂肪を除去する、添加植物繊維は提供されていない。
【０００５】
【発明の解決しようとする課題】
請求項１および請求項２に記載の天然植物繊維カポックを利用した脂吸着化粧用パッドの開発を必要とする従来の技術の課題がある。普通の人でも夜なべや徹夜をしたり、長時間乗り物に乗っていたりすると顔に脂が浮き出てくる。女性は顔に油があると化粧品がなじまないため顔の脂を落とすために洗顔したり、脂吸着シートを使用している。顔の脂を落とした後、化粧水やクリームを塗り込んで保護している。しかし、化粧水やクリームを脂のついている手で塗り込むため、再び顔に脂を付けることになり好ましくない。顔に水分を与えておくためには、顔の脂のみを除去し、同時に水分の補給ができれば最適であるが、従来の技術では不可能である。
【０００６】
請求項３に記載の天然植物繊維カポックを利用した苗床を必要とする従来の技術の課題は、従来、苗床に使用している天然植物繊維の素材が水を含むため、地面に水を供給する前に苗床の天然植物繊維の素材が水を吸ってしまう問題点があった。効率よく水を地中に供給し、苗床からの蒸発を防ぐには天然植物繊維の素材が水を吸わない方が好ましい。化学繊維を使用した場合、撥水性のある繊維が利用できるが、天然植物繊維でないため、土に同化しないで残存する問題点がある。
【０００７】
請求項４に記載のカポック混入食品の開発を要する従来の技術の課題は、近年の脂分の摂取に対するコレステロールの増加に対する対応が、個人個人の節制意志に基づいている点にある。肉類や脂分の多い食物を摂取するために、常にコレステロールや中性脂肪を気にしていてはストレスが溜まり精神衛生と健康上好ましくない。そこで、脂肪分のある食物を摂取しても、過剰脂肪分を体内から排出する方法が求められている。
【課題を解決するための手段】
天然植物繊維カポックは極細の繊維の集合体で中空構造であり、撥水性があり、浮遊性に富み、油吸収能力は１グラムの重量に対する体積で４０グラムの油を吸収する能力を持っている。この油を吸収し、水を吸収しない性質を利用して、本発明においては新規発明の化粧用品、苗床、食品を提供しようとするものである。
【０００８】
請求項１および２に記載の天然植物繊維カポックを利用した脂吸着化粧用パッドにおいては、防水シート１の上に化粧水を含ませたシート２を張り、更に化粧水を含ませたシート２の上に天然植物繊維カポックシート３を張った構造の化粧用バッドである。天然植物繊維カポックシート３には多数の穴４を開けることで脂分の吸着面積を増やすことができる。表面に張ったカポック３は顔の脂を吸収し、カポックシート３内に蓄積する。一方、水分は蓄積しないため、化粧水を含ませたシート２から滲み出した化粧水は自由にカポックシート３内を通過し、顔に化粧水を供給することができる。化粧水を含ませたシート２の裏側には防水シート１が張ってあるので化粧水を含ませたシート２の裏側に化粧水が滲み出すことはない。防水シート１を張る代わりに、化粧水を含ませたシート２の裏面を防水加工してもよい。このように、顔の脂を吸収しながら化粧水を供給できるので、化粧が素早くでき、皮膚が化粧水をはじくこともなくなる。カポックシート３に穴４を開けると皮膚への接触面積が拡大し、脂の吸収率も向上する。
【０００９】
請求項３に記載の天然植物繊維カポックを利用した苗床は苗の育成に効果的である。カポックが雨を苗床の地面に浸透させ、太陽光を遮断するので、苗が適温で育ち、水分をシートに含むことが無いため根腐れを起こさない。
【００１０】
請求項４に記載の天然植物繊維カポックを粉末体にしてカポック混入食品を作成すると、カポックは体内で脂分を吸収し、カポックは消化しないため不純物として脂と共に体外に排出することができる。しかも、水分は吸収しないため、体内に入った余剰な脂のみを排出することができる。このため、コレステロールの減少、中性脂肪の減少に寄与する。
【００１１】
【発明の実施の形態】
発明の実施の形態につき実施例にもとづき図面を参照して説明する。
図１は請求項１および２に記載の天然植物繊維カポックを利用した脂吸着化粧用パッドを分解した状態を表す。防水シート１の上に化粧水を含ませたシート２を張り、更に化粧水を含ませたシート２の上に天然植物繊維カポックシート３を張った構造を表している。ここに示す図１では、天然植物繊維カポックシート３に多数の穴４を開けて吸着面積を増やしている状態を示す。穴４は脂の吸着面積を増やし、化粧水の通過を補助しているが、穴４は絶対必要なものでなく、穴４を設けなくても使用することができる。
【００１２】
図２は請求項３に記載の天然植物繊維カポックを利用した苗床に関する。苗床１１の上に穴１３を開けた天然植物繊維カポックシート１２を敷き、穴１３から苗１４が育つようにしたものである。
【００１３】
請求項４に記載の天然植物繊維カポックを粉末体にして混入する食品は油分を有しない食品に使用される。
【００１４】
【発明の効果】
本発明になる天然植物繊維カポックを使用した脂吸着化粧用パッドを使用すると化粧を手早くでき、脂分を取りながら化粧水を補給できる。また、携帯にも便利である。
【００１５】
本発明になる天然植物繊維カポックを利用した苗床を利用すると、水分の補給と太陽光の遮断が適当に行える。
【００１６】
本発明になるカポック粉末体混入食品はダイエット効果、中性脂肪の減少効果およびコレステロール減少効果がある。
【図面の簡単な説明】
【図１】請求項１および２に関する説明図である。
【図２】請求項３に関する説明図である。
【符号の説明】
１  防水シート
２  化粧水を含ませたシート
３  カポックシート
４  穴
１１  苗床
１２  カポックシート
１３  穴
１４  苗
【図１】
2004230111.tif 000003
【図２】
2004230111.tif 000004